(57)【要約】      （修正有）【課題】加熱効率が高く、安全な、蒸気発生器と加温カップを有するフードプロセッサを提供する。【解決手段】加温カップ１０は容器１と容器を密閉するための着脱可能な蓋２を有し、蒸気発生器は蓋内に設けられた蒸気引き入れ口１１を介して加温カップに結合され、蒸気引き入れ口は蓋内に設けられた蒸気パイプ５の開口部であって、蓋が容器を密閉している時にだけ、蒸気を容器に取り込むように構成される。【選択図】図３
0003211968.tif 000002
【実用新案登録請求の範囲】
【請求項１】
蒸気発生器と加温カップを有するフードプロセッサであって、該加温カップは容器および該容器を密閉するための着脱可能な蓋を備え、該蒸気発生器は該蓋内に設けられた蒸気引き入れ口を介して該加温カップに結合され、該蒸気引き入れ口は該蓋内に設けられた蒸気パイプの開口部であって、該蓋が該容器を密閉している時に該容器内に蒸気を取り込む様に構成された、フードプロセッサ。  
【請求項２】
食材を収容するために該容器内に設けられたバスケットと、該蓋が該容器を密閉している時に該蒸気パイプと連通するように該バスケットの側壁内に形成された蒸気経路とを有する、請求項１に記載のフードプロセッサ。  
【請求項３】
該容器がその内壁周辺に段差を備え、該バスケットがその開口部周辺に該段差に該バスケットを設置するためのフランジを備える、請求項１に記載のフードプロセッサ。
【請求項４】
食材を収容するために該容器内に設けられたバスケットと、該蒸気パイプにより取り込まれる該蒸気を収容するために、該容器の側壁と該バスケットの側壁の間のスペースに形成された蒸気経路を有する、請求項１に記載のフードプロセッサ。
【請求項５】
該バスケットの底部に該蒸気が該食材を熱するための一つかそれ以上の開口部を備える、請求項２乃至４に記載のフードプロセッサ。
【請求項６】
該蒸気引き入れ口が該蓋の側壁内に設けられ、該蒸気パイプが略直角を形成する、請求項１に記載のフードプロセッサ。
【請求項７】
該蓋がその上部に該容器から該蒸気を排出させるための蒸気排出口を備えた、請求項１に記載のフードプロセッサ。
【請求項８】
該食材を混ぜ合わせるためのカッターを有する、請求項１に記載のフードプロセッサ。
【請求項９】
容器と該容器を密閉するための着脱可能な蓋を有する加温カップであって、該加温カップは該蓋内に設けられた蒸気引き入れ口を介して蒸気を収容するために蒸気発生器に結合され、該蒸気引き入れ口は該蓋内に設けられた蒸気パイプの開口部であって、該蓋が該容器を密閉している時に蒸気を該容器に取り込むように構成された、加温カップ。
【考案の詳細な説明】
【技術分野】
【０００１】
本考案は、特有の蒸気経路構造を有する加温カップ、およびそのような加温カップを備えるフードプロセッサに関する。
【背景技術】
【０００２】
米国特許出願番号２０１４２５１１６２の図１及び図２は、プロセッサ本体１００、蒸気発生装置２００、および加温カップ３００を備えるフードプロセッサを示している。該加温カップは、蒸気引き入れ口３１０、および蒸気排出口３２０を備える。蒸気カップ４００は加温カップ内に設けられる。通気口４１０は、該蒸気カップの底壁に設けられる。連通する第一空隙５００と第二空隙６００はそれぞれ、該蒸気カップの側壁と該加温カップの側壁との間、該蒸気カップの底壁と該加温カップの底壁との間に設けられる。該蒸気経路は以下の構造を持つ、すなわち蒸気流入経路が該第一空隙に設けられ、蒸気７００は該加温カップの該蒸気引き入れ口から２方向に拡散し、該蒸気流入経路に流入し、該蒸気流入経路から該第二空隙に流入した後、該通気口を通って、該蒸気カップに流入する。  
【考案の概要】
【考案が解決しようとする課題】
【０００３】
上記の蒸気経路は簡単な構造と大きな蒸気流路を持つが、加熱効率を低下し得るような熱損失を伴う可能性がある。上記の加温カップはまた、エンドユーザにとって完全に安全ではないだろう。
【０００４】
本考案の目的は、当該先行技術の一つよりも優位な性能を持つフードプロセッサを提案することにある。
【課題を解決するための手段】
【０００５】
本考案の第一の態様によれば、蒸気発生器と加温カップを備えるフードプロセッサが提案されており、該加温カップは、容器と該容器を密閉するための着脱可能な蓋を備え、該蒸気発生器は、前記蓋内に設けられた蒸気引き入れ口を介して、該加温カップに結合されており、該蒸気引き入れ口は、前記蓋内に設けられた蒸気パイプの開口部であって、前記蓋が該容器を密閉している時に、該容器内に蒸気を取り込むように構成されている。
【０００６】
前記先行技術で該容器内に設けられていた該蒸気引き入れ口が、前記蓋内に設けられているため、蒸気は該蓋が該容器を密閉している時にのみ該加温カップに取り込まれることができ、このことは該ユーザが熱い蒸気によって火傷を負うことが殆どないため、フードプロセッサをより安全にする。
【０００７】
本考案の実施例によれば、該加温カップは、食材を収容するための該容器内に設けられたバスケットを備え、蒸気経路は、該蓋が該容器を密閉している時に、該蒸気パイプに連通するように、該バスケットの側壁内に形成される。
【０００８】
該蒸気経路は、該バスケットの側壁内に直接形成されるため、該蒸気は限定された熱損失を伴って、直接バスケットの該底部に導かれ、該加熱効率は高められる。
【０００９】
本考案の他の実施例によれば、該蒸気引き入れ口は該蓋の側壁内に設けられ、該蒸気パイプは略直角を形成する。
【００１０】
該蒸気パイプが直角を形成するため、食材が該加温カップ内でかき混ぜられるときに、前記の高速回転する食材小片が、該蒸気発生器に飛び込むことができない。
【００１１】
さらに本考案の他の実施例によれば、前記蓋は、該容器から該蒸気を排出させるための蒸気排出口をその上部に備える。
【００１２】
前記先行技術では該容器の側壁内にあった該蒸気排出口が該蓋の上部にあるため、該蒸気は簡単かつ安全に排出することができる。
【００１３】
本考案の他の態様によれば、加温カップは、容器と、該容器を密閉するための着脱可能な蓋を備え、該加温カップは、該蓋内部に設けられた蒸気引き入れ口を介して蒸気を取り込むために蒸気発生器に結合され、該蒸気引き入れ口は、該蓋内部に設けられた蒸気パイプの開口部であって、該蓋が該容器を密閉しているときに、該容器内に蒸気を取り込むように構成される、と提案されている。
【００１４】
本考案は、添付図面を参照しながら、例として、更に詳細に以下に説明される。
【図面の簡単な説明】
【００１５】
【図１】先行技術による、フードプロセッサの略図
【図２】先行技術による、フードプロセッサの動作を示す
【図３】本考案による、加温カップの第一の実施例の断面図を示す
【図４】本考案による、加温カップの第二の実施例の断面図を示す、更に
【図５】食材がかき混ぜられた時の、本考案による、該加温カップを示す
【考案を実施するための形態】
【００１６】
本考案は、蒸気を発生するための蒸気発生器と、該蒸気を収容し、かつ食材を蒸し加熱するための、該蒸気発生器に連通された加温カップを備えるフードプロセッサに関する。
【００１７】
図３は、本考案による、加温カップ１０の断面図である。加温カップ１０は、容器１および、容器１を密閉するための着脱可能な蓋２を備える。蒸気バスケット３は、蒸し加熱される食材１３を収容するために、容器１内に設けられる。容器１はその内壁周辺に段差１５を備え、バスケット３はその主要開口部周辺に、該段差に該バスケットを設置するためのフランジ９を備える。
【００１８】
該蒸気発生器（図省略）は、水のような液体を高温蒸気に変換するように構成されている。該蒸気発生器は、蒸気引き入れ口１１を介して加温カップの蓋２と密閉結合された、蒸気ノズル（図省略）を備える。蒸気引き入れ口１１は、蓋２内部に設けられた蒸気パイプ５の開口部を形成する。蒸気パイプ５は、該蓋が該容器を密閉しているときに、該容器に蒸気１４を取り込むように構成される。該蒸気流路は、図３に矢印で示されている。蒸気パイプ５の他の開口部は、シールゴム４を介して、バスケット３のフランジ９上の孔に連通する。
【００１９】
図３の実施例によれば、蒸気引き入れ口１１は、蓋２の側壁上にあり、蒸気パイプ５は略直角を形成する。蓋２の頂部には、少なくとも一つ以上の蒸気抜き孔８がある。バスケット３の底部は、蒸気１４で食材１３を熱するための、一つかそれ以上の開口部を備える。そして、容器１はその底部に食材を切断或いはかき混ぜるためのカッターを備え、該カッターは一つ以上の刃を有する。
【００２０】
動作状態では、食材がバスケット３に投入され、該バスケットは容器１内に収容され、該ユーザは蓋２で容器１を閉じる。そして該ユーザは、水で満たされた蒸気発生器の下に配置されたヒータを作動でき、該蒸気発生器は蒸気の発生を始める。蒸気１４は、該蒸気発生器の該蒸気ノズルから蒸気パイプ５に流れる。該蒸気は蒸気パイプ５に沿って流れ、そしてバスケット３のフランジ９上の孔を介して、該容器の側壁とバスケット３の側壁との間、つまり蒸気経路６を形成するスペースに流れ込む。
【００２１】
フランジ９は上方への流れを阻止するため、蒸気１４は該バスケットの下のスペースへ動かざるを得ない。そして該蒸気流は、バスケット３の底部にある開口部７を通って上昇し、そして底部より該食材を蒸し加熱する。最終的に該蒸気は、蓋２の上壁にある抜き孔８、或いは該容器と該蓋の間の隙間から放出される。底部からの蒸し加熱は、食材をより完全かつ均一に暖める。
【００２２】
図４は、本考案による、加温カップの第二の実施例の断面図を示す。加温カップ１０は、容器１および、容器１を密閉するための着脱可能な蓋２を備える。蒸気バスケット３は、蒸し加熱される食材を収容するために、容器１内に設けられる。容器１はその内壁周辺に段差１５を備え、バスケット３はその主要開口部周辺に、段差１５にバスケット３を設置するためのフランジ９を備える。
【００２３】
蒸気経路１６は、蓋２が該容器を密閉している時に、好ましくは密閉で、蒸気パイプ５に結合するように、バスケット３の側壁内に形成される。蒸気経路１６が、該バスケット壁内に形成されるため蒸気漏れが無く、かつ前記熱損失は、熱エネルギーが該容器壁を介して外界への熱交換により失われ得る先の実施例に比べ、最小化される。ここでは、該バスケット内の蒸気経路１６は、該蒸気熱を断熱し得る。
【００２４】
該蒸気の流れ１４は矢印で示されている。バスケット３の底部は、該蒸気１４で該食材を熱するための、一つかそれ以上の開口部７を備える。容器１は、その底部に食材を切断或いはかき混ぜるためのカッターを備え、該カッターは一つ以上の刃を有する。
【００２５】
図５は、該食材がかき混ぜられた時の、本考案による該加温カップを示す。蒸し加熱後、蓋２は取り去られ、蒸し加熱された食材は容器１に収容される。該バスケットは脇に置かれ、蓋２は閉じられる。そして食材をかき混ぜるために、切断／かき混ぜ機能を作動させるべく、該フードプロセッサの専用ボタンが押される。該蒸気パイプの傾斜した該蒸気流路により、高速回転する食材小片が、該蒸気発生器の該蒸気ノズルに飛び込むことができない。
【００２６】
本明細書および請求項における単一表現されている構成要素は、その構成要素の複数の存在を除外するものではない。更に、"有する"および"備える"なる語は、これら記述されている以外の、他の要素またはステップの存在を除外するものではない。
【００２７】
請求項に含まれる括弧内の参照記号は、理解の支援を意図されたものであり、限定を意図されたものではない。
【００２８】
本開示を読むことにより、他の改変は当業者には明らかだろう。このような改変は、当該技術で既に知られているその他の機能を持ち得るし、ここに既に記載されている機能の置き換え、或いは追加で使用され得る。
【図１】
0003211968.tif 000003
【図２】
0003211968.tif 000004
【図３】
0003211968.tif 000005
【図４】
0003211968.tif 000006
【図５】
0003211968.tif 000007
【手続補正書】
【提出日】平成29年6月20日(2017.6.20)
【手続補正１】
【補正対象書類名】実用新案登録請求の範囲
【補正対象項目名】全文
【補正方法】変更
【補正の内容】
【実用新案登録請求の範囲】
【請求項１】
蒸気発生器と加温カップを有するフードプロセッサであって、該加温カップは容器および該容器を密閉するための着脱可能な蓋を備え、該蒸気発生器は該蓋内に設けられた蒸気引き入れ口を介して該加温カップに結合され、該蒸気引き入れ口は該蓋内に設けられた蒸気パイプの開口部であって、該蓋が該容器を密閉している時に該容器内に蒸気を取り込む様に構成された、フードプロセッサ。
【請求項２】
食材を収容するために該容器内に設けられたバスケットと、該蓋が該容器を密閉している時に該蒸気パイプと連通するように該バスケットの側壁内に形成された蒸気経路とを有する、請求項１に記載のフードプロセッサ。
【請求項３】
食材を収容するために該容器内に設けられたバスケットを有し、該容器がその内壁周辺に段差を備え、該バスケットがその開口部周辺に該段差に該バスケットを設置するためのフランジを備える、請求項１に記載のフードプロセッサ。
【請求項４】
食材を収容するために該容器内に設けられたバスケットと、該蒸気パイプにより取り込まれる該蒸気を収容するために、該容器の側壁と該バスケットの側壁の間のスペースに形成された蒸気経路を有する、請求項１に記載のフードプロセッサ。
【請求項５】
該バスケットの底部に該蒸気が該食材を熱するための一つかそれ以上の開口部を備える、請求項２乃至４のいずれか一項に記載のフードプロセッサ。
【請求項６】
該蒸気引き入れ口が該蓋の側壁内に設けられ、該蒸気パイプが略直角を形成する、請求項１に記載のフードプロセッサ。
【請求項７】
該蓋がその上部に該容器から該蒸気を排出させるための蒸気排出口を備えた、請求項１に記載のフードプロセッサ。
【請求項８】
食材を混ぜ合わせるためのカッターを有する、請求項１に記載のフードプロセッサ。
【請求項９】
容器と該容器を密閉するための着脱可能な蓋を有する加温カップであって、該加温カップは該蓋内に設けられた蒸気引き入れ口を介して蒸気を収容するために蒸気発生器に結合され、該蒸気引き入れ口は該蓋内に設けられた蒸気パイプの開口部であって、該蓋が該容器を密閉している時に蒸気を該容器に取り込むように構成された、加温カップ。